(57)【要約】      （修正有）【課題】ポンプ作動に最低限必要な構成要素からなり、泡生成機能なしの既存のポンプ機構にそのまま使用できるポンプコアユニットを泡放出用ポンプ機構にも転用することで、当該コアユニットの需要拡大を図り、それにともなう大量生産化，コストダウン化を図ることを目的とする。【解決手段】ステム１１，１２，吐出弁１３，吸込弁１４，コイルスプリング１５，汎用ハウジング１６，筒状ブッシュ１７およびディップチューブ１８からなるポンプコアユニット１１〜１８を作成している。泡放出用ポンプ機構の製造に際しては、このポンプユニットに、ピストン２１，２２，空気流入出弁２３および泡生成用ハウジング２４からなる泡生成用の空気混入作用部を付加する。【選択図】図５
2010265009.tif 000002
【特許請求の範囲】
【請求項１】
放出操作時の容器内容物および空気の混合作用に基づく泡生成機能を備えていないポンプコアユニットに、泡生成用の空気混入作用部を付加した態様の泡放出用ポンプ機構であって、
前記ポンプコアユニットは、
前記放出操作時の内容物通過用の内部通路を有するステムと、
前記容器内容物に対する吸込弁および吐出弁と、
当該ステム，当該吸込弁および当該吐出弁のそれぞれを移動可能な形で保持して、当該ステムおよび当該吐出弁と、当該吸込弁との間に次回放出対象内容物の貯留空間域を画定する第１のハウジングと、
当該第１のハウジングの内部に配設されて当該ステムを上方向に付勢する弾性部材と、
当該第１のハウジングの上側開口部に取り付けられて、内部を当該ステムが移動し、かつ、当該ステム，当該吸込弁，当該吐出弁および当該弾性部材が当該ハウジングから脱落するのを阻止するための筒状保持部と、
からなり、
前記泡生成用の空気混入作用部は、
前記ステムに取り付けられて、前記内部通路から続く下流側内容物通路および当該下流側内容物通路への外気流入通路を有し、かつ、内容物放出操作部と連動するピストンと、
内容物放出操作時に当該外気流入通路を開状態に設定する弁部材と、
前記第１のハウジングおよび容器本体側に取り付けられて、当該弁部材との間で外気貯留空間域を画定する第２のハウジングと、
からなる、
ことを特徴とする泡放出用ポンプ機構。
【請求項２】
前記弁部材は、
前記ピストンの周りに設けられた環状部材あって、
内容物放出操作時、先ず当該ピストンが当該弁部材に対して移動することにより前記外気流入通路をそれまでの閉状態から開状態に変化させ、続いて当該ピストンとの連動により前記外気貯留空間域の空気を当該外気流入通路に流入させる作用を呈する弁部材である、
ことを特徴とする請求項１記載の泡放出用ポンプ機構。
【請求項３】
請求項１または請求項２に記載の泡放出用ポンプ機構を備え、かつ、放出対象の液状内容物を収容した、
ことを特徴とするポンプ式製品。
【発明の詳細な説明】
【技術分野】
【０００１】
本発明は、放出操作時の容器内容物と空気との混合作用に基づく泡生成機能を備えていない既存のポンプ機構のポンプコアユニットに、泡生成用の空気混入作用部を付加した形の泡放出用ポンプ機構などに関する。
【０００２】
すなわち、ステム，吸込弁，吐出弁，ハウジング，ステム付勢用弾性体および、（ハウジング上側開口部に取り付けられてステム，吐出弁などをハウジングに保持する）筒状保持部などからなって、泡生成機能なしの既存のポンプ機構の一部であるポンプコアユニットを、そのまま構成要素とした形の泡放出用ポンプ機構に関する。
【０００３】
適用対象の液状内容物としては、例えば石けん，消毒剤，化粧品，乳液、シェービングフォーム，ヘアスタイリングフォーム，洗剤，染毛剤，シャンプー，リンス，殺虫剤など、後述のように各種のものがある。
【背景技術】
【０００４】
ポンプ容器に収容された液状内容物の泡生成機能を持つ泡放出用ポンプ機構は、例えば下記の特許文献１で開示されている。
【０００５】
ポンプ機能および泡生成機能を併せ備えたこの泡放出用ポンプ機構は少なくとも、当該機能自体のためにいわば必然的ともいえる、次の各構成要素を有している。
(a)容器内容物に対する吸込弁
(b)容器内容物に対する吐出弁
(c)吐出弁との弁作用により容器内容物が流入して外部空間に放出されるための内部通路を備え、かつ、内容物放出用操作部と連動するステム
(d)ステムと一体で、当該ステムの下流側通路および泡生成部として作用する筒状の内容物通過用部材
(e)ステム・内容物通過用部材，吸込弁および吐出弁のそれぞれを移動可能な形で保持して、当該ステムおよび当該吐出弁と、当該吸込弁との間に次回放出対象内容物の貯留空間域を画定するハウジング
(f)ステムを上方向に付勢するコイルスプリング
(g)内容物通過用部材の周面部分に形成された空気流入通路
(h)内容物通過用部材により内容物放出操作時は押下げられる、また、内容物放出操作解除時は押し上げられる形で、ハウジング内部に配設されて、内容物放出操作時に空気流入通路を開状態に設定する空気流入出弁
(i)ハウジングに取り付けられて、泡放出用ポンプ機構全体をいわばユニット化するためのネジキャップ
(j)内容物通過用部材に取り付けられたスパウト（内容物放出操作部）
【先行技術文献】
【特許文献】
【０００６】
【特許文献１】特開２００６−２７６３６号公報
【発明の概要】
【発明が解決しようとする課題】
【０００７】
この従来の泡放出用ポンプ機構のポンプ作動に直に関係する上記(a)〜(h)の構成要素の中、(a)吸込弁，(b)吐出弁，(c)ステム，(f)コイルスプリングおよび(g)内容物流入用チューブは、泡生成機能なしの通常のポンプ機構に対してもそのまま使える汎用構成要素といえる。
【０００８】
なお、内容物流入用チューブを備えないタイプのポンプ機構の場合の汎用構成要素は、勿論、当該チューブを捨象した形の上記(a)，(b)，(c)，(f)である。
【０００９】
他方、(d)内容物通過用部材，(e)ハウジング，(g)空気流入通路および(h)空気流入出弁は、泡生成のための空気混入用構成要素といえる。なお、ハウジングは、空気流入出弁に対するシール部としても作用するので、当該空気混入用構成要素に分類される。
【００１０】
本件出願は、泡放出用ポンプ機構がこのように、ポンプ作動のためのポンプ汎用構成要素と、泡生成のための空気混入用構成要素とを有している点に着目したものである。
【００１１】
すなわち、このポンプ汎用構成要素の範囲を、泡放出用ポンプ機構に特化した態様での各構成要素単位の集合として把握せずに、泡生成機能なしのポンプ機構の構成要素単位で把握するものである。
【００１２】
具体的には、吸込弁および吐出弁に対応した内容物貯留用空間域および空気流入出弁に対応した空気貯留用空間域をそれぞれ設定する単一のハウジングを、概念上、内容物貯留用空間域の設定部分からなって泡生成機能なしのポンプ機構にも転用できる汎用ハウジングと、空気貯留用空間域の設定部分からなる泡生成用ハウジングとの２つに分け、この汎用ハウジングをポンプ汎用構成要素のメンバーとする。
【００１３】
そして、この汎用ハウジングに上記筒状保持部を取り付けることにより、上述のようにステム，吸込弁，吐出弁，ステム付勢用弾性体などが汎用ハウジングに保持された形のポンプコアユニットが、泡放出用ポンプ機構の構成ユニットとして生成される。
【００１４】
このポンプコアユニットは、ステム，ステム付勢用の弾性体（コイルスプリングなど），吸込弁，吐出弁およびハウジングなどといった、ポンプ作動のために必要な最低限の構成要素を備えており、泡生成機能なしの通常のポンプ機構にもそのまま転用できる。
【００１５】
このポンプコアユニット自体を所定のネジキャップにセットした状態で容器本体に取り付けることにより、泡生成機能なしのポンプ機構が生成される。
【００１６】
本発明はこのように、泡放出用ポンプ機構の構成要素を、泡生成機能なしのポンプ機構に直に転用できるポンプコアユニットおよび、それに付加される形の泡生成作用部（空気混入作用部）などの単位で弁別する、といった発想に基づいている。
【００１７】
すなわち、泡放出用ポンプ機構のポンプ作動に必要な構成要素からなるポンプコアユニットを、泡生成機能なしの既存のポンプ機構の場合にもそのまま使用できるいわば共通プラットフォームとしての位置付けで設定し、これにより当該ポンプコアユニット自体の需要拡大、およびこれにともなう大量生産化，コストダウン化を図ることを目的とする。
【課題を解決するための手段】
【００１８】
本発明は、以上の課題を次のようにして解決する。
（１）放出操作時の容器内容物および空気の混合作用に基づく泡生成機能を備えていないポンプコアユニットに、泡生成用の空気混入作用部を付加した態様の泡放出用ポンプ機構であり、
前記ポンプコアユニットとして、
前記放出操作時の内容物通過用の内部通路（例えば後述の内容物放出通路Ｂの上流側）を有するステム（例えば後述の上側ステム部材１１，下側ステム部材１２）と、
前記容器内容物に対する吸込弁（例えば後述の吸込弁１４）および吐出弁（例えば後述の吐出弁１３）と、
当該ステム，当該吸込弁および当該吐出弁のそれぞれを移動可能な形で保持して、当該ステムおよび当該吐出弁と、当該吸込弁との間に次回放出対象内容物の貯留空間域（例えば後述の内容物貯留用空間域Ａ）を画定する第１のハウジング（例えば後述の汎用ハウジング１６）と、
当該第１のハウジングの内部に配設されて当該ステムを上方向に付勢する弾性部材（例えば後述のコイルスプリング１５）と、
当該第１のハウジングの上側開口部に取り付けられて、内部を当該ステムが移動し、かつ、当該ステム，当該吸込弁，当該吐出弁および当該弾性部材が当該ハウジングから脱落するのを阻止するための筒状保持部（例えば後述の筒状ブッシュ１７）と、
からなるものを用い、
前記泡生成用の空気混入作用部として、
前記ステムに取り付けられて、前記内部通路から続く下流側内容物通路（例えば後述の内容物放出通路Ｂの下流側）および当該下流側内容物通路への外気流入通路（例えば後述の溝状部２２ａ，横孔部２１ｂ）を有し、かつ、内容物放出操作部（例えば後述のスパウト２８）と連動するピストン（例えば後述の下側ステム延伸部材２１，上側ステム延伸部材２２）と、
内容物放出操作時に当該外気流入通路を開状態に設定する弁部材（例えば後述の空気流入出弁２３）と、
前記第１のハウジングおよび容器本体（例えば後述の容器本体２５）側に取り付けられて、当該弁部材との間で外気貯留空間域（例えば後述の空気貯留用空間域Ｃ）を画定する第２のハウジング（例えば後述の泡生成用ハウジング２４）と、
を備えたものを用いる。
（２）上記（１）において、
前記弁部材として、
前記ピストンの周りに設けられた環状部材あって、
内容物放出操作時、先ず当該ピストンが当該弁部材に対して移動することにより前記外気流入通路をそれまでの閉状態から開状態に変化させ、続いて当該ピストンとの連動により前記外気貯留空間域の空気を当該外気流入通路に流入させる作用を呈する弁部材である、
ものを用いる。
【００１９】
本発明は、以上の構成からなる泡放出用ポンプ機構および当該泡放出用ポンプ機構を備えたポンプ式製品を対象としている。
【発明の効果】
【００２０】
本発明はこのように、泡放出用ポンプ機構のポンプ作動にいわば最低限必要な構成要素からなるポンプコアユニットを、泡生成機能なしの既存のポンプ機構の場合に対してもそのまま使用できるいわば共通プラットフォームの形に位置付けているので、当該ポンプコアユニット自体の需要拡大、およびこれにともなう大量生産化，コストダウン化を図ることができる。
【図面の簡単な説明】
【００２１】
【図１】泡放出用ポンプ機構の静止モードを示す説明図である。
【図２】泡放出用ポンプ機構の作動モードを示す説明図である。
【図３】図２の作動モードに続くステム下死点状態を示す説明図である。
【図４】図３のステム下死点状態から静止モードへ復帰する際の内容物吸上（吸込）状態を示す説明図である。
【図５】泡放出用ポンプ機構の組立作業手順を示す説明図（その１）である。
【図６】泡放出用ポンプ機構の組立作業手順を示す説明図（その２）である。
【発明を実施するための形態】
【００２２】
図１〜図６を用いて本発明を実施するための形態を説明する。
【００２３】
以上の図で用いるアルファベット付き参照番号の構成要素（例えば縦溝状部１１ａ）は原則として、当該参照番号の数字部分の構成要素（例えば上側ステム部材１１）の一部であることを示している。
【００２４】
図１〜図６のポンプコアユニットに関して、
１１は後述の下側ステム延伸部材２１嵌合している筒状の上側ステム部材，
１１ａは後述の下側ステム部材１２との嵌合部分に形成された内容物通過用の縦溝状部，
１１ｂは内容物放出操作時に後述の吐出弁１３の上内側逆スカート部１３ｂの上端部と当接して当該吐出弁を下方に移動させる環状段部，
１２は上側ステム部材１１と嵌合している鞘状の下側ステム部材，
１２ａは下端側に形成されて後述の汎用ハウジング１６の内周面に当接しながら上下動するスカート部，
１２ｂは当該スカート部の下端側外周面に形成された内容物通過用の下縦溝状部，
１２ｃは後述の吐出弁１３（弁作用部１３ａ）の弁座としての環状受け部，
１２ｄは当該環状受け部の直上側外周面に形成された内容物通過用の上縦溝状部，
１３は上側ステム部材１１と下側ステム部材１２との間に配設された、内容物に対する環状の吐出弁，
１３ａは当該吐出弁の内筒下端側であって、下側ステム部材１２の環状受け部１２ｃとの間の開閉作用を呈する弁作用部，
１３ｂは当該弁作用部から上方に続く部分であって、上側ステム部材１１の下側内周面に密接しながら相対的に上下動する上内側逆スカート部，
１３ｃは後述の汎用ハウジング１６の内周面に密接しながら上下方向に移動する上外側逆スカート部，
１３ｄは後述の汎用ハウジング１６の内周面に密接しながら上下方向に移動する下外側スカート部，
１４は内容物に対する吸込弁（ボール弁），
１５は後述の汎用ハウジング１６の内部に配設されて、下側ステム部材１２およびこれと一体の上側ステム部材１１を上方向に付勢するコイルスプリング，
１６は上側ステム部材１１，下側ステム部材１２，吐出弁１３，吸込弁１４およびコイルスプリング１５などを収容し、かつ、泡生成機能なしのポンプ機構を用いる場合の容器本体に取り付けられる筒状の汎用ハウジング，
１６ａは吸込弁１４に対する環状の弁座，
１６ｂは当該弁座の直上流側に形成された下側筒状部，
１６ｃは当該弁座の略直下流側に形成されて、コイルスプリング１５の下側部分を保持するともに後述のヘッド部（上側ステム部材１１，下側ステム部材１２など）の下死点位置を画定する縦リブ状部，
１６ｄは作動モードが終了して静止モードへ復帰する際、容器本体内部の負圧化防止のために作用する外気入力用の周知の横孔部，
１７は汎用ハウジング１６の上側開口部に嵌合する形で取り付けられて吐出弁１３の上動限界位置を設定する機能を備えた筒状ブッシュ，
１８は汎用ハウジング１６の下側筒状部１６ｂに取り付けられた内容物流入用のディップチューブ，
Ａは静止モードにおいて、汎用ハウジング１６内部の、吐出弁１３（および下側ステム部材１２）と吸込弁１４との間に、閉じた形で設定される内容物貯留用空間域，
をそれぞれ示している。
【００２５】
なお、図示のディップチューブありのポンプ式製品の場合、「上側ステム部材１１〜ディップチューブ１８」の各構成要素を組み立てた状態のユニットが、上述の「泡生成機能なしのポンプ機構に直に転用できるポンプコアユニット」に相当する。
【００２６】
また、泡生成用の空気混入作用部などに関して、
２１は上側ステム部材１１と嵌合している筒状の下側ステム延伸部材，
２１ａは後述の空気流入出弁２３のいわば弁座としての機能を有し、作動モードにおいて、上側ステム部材１１の直下流側内容物通路へ流入する空気の入口部分を構成する環状受け部，
２１ｂは当該直下流側内容物通路への空気流入用の横孔部，
２２は下側ステム延伸部材２１と嵌合している筒状の上側ステム延伸部材，
２２ａは下側ステム延伸部材２１と嵌合する環凹状内面部分に形成されて、横孔部２１ｂへと通じる空気流入用の断面「コの字状」溝状部，
２２ｂは下面部分に形成されて、後述の空気流入出弁２３（環凸状部２３ｅ）との間で開閉作用を呈する環凹状部，
２３は下側ステム延伸部材２１と上側ステム延伸部材２２との間に配設された泡生成用の環状の空気流入出弁，
２３ａは下側ステム延伸部材２１の外周面部分との間に空気通過域が設定される中央筒状部，
２３ｂは当該中央筒状部の下端側に形成されて、下側ステム延伸部材２１の環状受け部２１ａとの間で開閉作用を呈する環状弁作用部，
２３ｃは当該中央筒状部の上側に形成されて、上側ステム延伸部材２２の下側内周面に密接しながら相対的に上下動する上内側逆スカート部，
２３ｄは外気流入用の縦孔部，
２３ｅは当該縦孔部の外側上面に形成されて上側ステム延伸部材２２（環凹状部２２ｂ）との間で開閉作用を呈する環凸状部，
２３ｆは後述の泡生成用ハウジング２４の内周面に密接しながら上下方向に移動する上外側逆スカート部，
２３ｇは後述の泡生成用ハウジング２４の内周面に密接しながら上下方向に移動する下外側スカート部，
２４は汎用ハウジング１６を嵌合保持し、下側ステム延伸部材２１および空気流入出弁２３などを収容し、かつ、後述のネジキャップ２６に嵌合して、当該ネジキャップと容器本体２５との間に挟持される有底筒状の泡生成用ハウジング，
２４ａは外気流入用の横孔部，
２４ｂは上端側外周面に形成された環状の鍔部分，
２５は後述の放出対象の各種液状内容物が収納された容器本体，
２６は容器本体２５に螺合態様で取り付けられたネジキャップ，
２７は容器本体２５とネジキャップ２６との間のシール作用を呈する環状パッキン，
２８は上側ステム延伸部材２２に嵌合されているスパウト（内容物放出操作部），
２８ａは内容物通路，
２９は下側ステム延伸部材２１の上端開口部（内容物流出側開口部）に設けられた泡生成用の上流側メッシュ部材，
３０は上側ステム延伸部材２２の上端開口部（内容物流出側開口部）に設けられた泡生成用の下流側メッシュ部材，
３１はネジキャップ２６の上側筒状部に着脱自在な形で取り付けられて、スパウト２８の下方向への移動（＝作動モードへの移動）を阻止する、すなわち当該スパウトの誤操作によって作動モードに移行しないようにする周知のストッパ部材，
Ｂは上側ステム部材１１，下側ステム延伸部材２１，上側ステム延伸部材２２およびスパウト２８の各内部空間からなる内容物放出通路，
Ｃは静止モードにおいて、泡生成用ハウジング２４内部の、空気流入出弁２３（および下側ステム延伸部材２１）と筒状ブッシュ１７との間に、外部空間域と連通する形で、設定される空気貯留用空間域，
をそれぞれ示している。
【００２７】
ここで、上側ステム部材１１，下側ステム部材１２，吐出弁１３，汎用ハウジング１６，筒状ブッシュ１７，ディップチューブ１８，下側ステム延伸部材２１，上側ステム延伸部材２２，空気流入出弁２３，泡生成用ハウジング２４，容器本体２５，ネジキャップ２６，スパウト２８およびストッパ部材３１はそれぞれ、ポリプロピレン，ポリエチレン，ポリアセタール，ナイロン，ポリブチレンテレフタレートなどからなるプラスチック製のものである。
【００２８】
吸込弁１４，コイルスプリング１５，上流側メッシュ部材２９および下流側メッシュ部材３０は金属製や合成樹脂製のものである。また、環状パッキン２７はゴム製や合成樹脂製のものである。
【００２９】
図示のポンプ機構における基本的特徴は、
(11)泡生成機能を備えていないポンプコアユニットが、
・上側ステム部材１１，下側ステム部材１２
・吐出弁１３および吸込弁１４
・コイルスプリング１５
・内容物貯留用空間域Ａを画定するための汎用ハウジング１６
・汎用ハウジング１６の上側開口部に取り付けられる筒状ブッシュ１７
・ディップチューブ１８
からなり、
(12)このポンプコアユニットに付加される泡生成用の空気混入作用部が、
・スパウト２８と連動する下側ステム延伸部材２１，上側ステム延伸部材２２
・空気流入出弁２３
・汎用ハウジング１６に取り付けられて、空気貯留用空間域Ｂを画定するための泡生成用ハウジング２４
からなり、
(13)そして、このポンプコアユニットは既存の泡生成機能なしのポンプ機構に対するユニットとしても用いられる、
ことである。
【００３０】
上記(11)のポンプコアユニットに操作部（例えばスパウト）およびネジキャップを取り付けることにより、泡生成機能なしのポンプ機構が生成される。
【００３１】
すなわち、このポンプコアユニットは、これに操作部およびネジキャップを取り付けた形の泡生成機能なしのポンプ機構と、これに上記(12)の空気混入作用部および操作部，ネジキャップを取り付けた形の泡放出用ポンプ機構と、に利用できる。
【００３２】
図１の静止モードにおいては、スパウト２８などのヘッド部（スパウト２８およびこれと一体の上側ステム延伸部材２２，下側ステム延伸部材２１，上側ステム部材１１，下側ステム部材１２）がコイルスプリング１５の弾性作用によって上方向に移動している。
【００３３】
このヘッド部の上動により、
(21)吐出弁１３は、その弁作用部１３ａが下側ステム部材１２の環状受け部１２ｃと密接し、
(22)空気流入出弁２３は、その環状弁作用部２３ｂが下側ステム延伸部材２１の環状受け部２１ａと密接し、その環凸状部２３ｅが上側ステム延伸部材２２の環凹状部２２ｂから離間し、かつ、その上外側逆スカート部２３ｆおよび下外側スカート部２３ｇが泡生成用ハウジング２４の横孔部２４ａをシールする、状態に設定される。
【００３４】
吐出弁１３の上記(21)の作用により、内容物貯留用空間域Ａと、上側ステム部材１１，下側ステム延伸部材２１，上側ステム延伸部材２２およびスパウト２８の各内部空間からなる内容物放出通路Ｂと、が遮断される。
【００３５】
また、空気流入出弁２３の上記(22)の作用により、空気貯留用空間域Ｃは内容物放出通路Ｂから遮断される一方、外部空間域と連通し、かつ、容器本体２５内部は外部空間域から遮断される。
【００３６】
すなわち、閉空間状態の内容物貯留用空間域Ａには放出対象内容物が収納され、外部空間域と連通して内容物放出通路Ｂから遮断された状態の空気貯留用空間域Ｃには泡生成用の空気が収納されている。なお、これら放出対象内容物および空気の収納処理はそれぞれ、図４に示すように、直前の作動モード設定操作の解除にともなうヘッド部の静止モードへの復帰動作の際に実行される。
【００３７】
かつ、泡生成用ハウジング２４の横孔部２４ａは空気流入出弁２３でシールされているので、ポンプ式製品が倒れた場合にも当該横孔部から容器内容物が外部に洩れるようなことはない。
【００３８】
図２に示すように、利用者のスパウト２８に対する押圧操作により、静止モードのヘッド部（スパウト２８およびこれと一体の上側ステム延伸部材２２，下側ステム延伸部材２１，上側ステム部材１１，下側ステム部材１２）がコイルスプリング１５に抗する形で押し下げられると、吐出弁１３および空気流入出弁２３はそれぞれ放出状態（作動モード）に遷移する。なお、押圧操作に先立って、勿論、ストッパ部材３０をネジキャップ２６から取り外すことが必要である。
【００３９】
この遷移過程（図２）では、当該ヘッド部が下動するのにともない内容物貯留用空間域Ａの容積が小さくなってそこでの内容物圧力が大きくなるため、吐出弁１３は下側ステム部材１２との関係で相対的に上昇してその弁作用部１３ａと当該下側ステム部材の環状受け部１２ｃとのそれまでの閉状態が開状態へと変化し、かつ吸込弁１４は閉状態を維持する。
【００４０】
なお、下側ステム部材１２に対して上昇する吐出弁１３は、その上内側逆スカート部１３ｂの上端部が上側ステム部材１１の環状段部１１ｂに当接し、その後は上記ヘッド部とともに下方向に移動する。
【００４１】
その結果、内容物貯留用空間域Ａの内容物は、「下側ステム部材１２の下縦溝状部１２ｂ−環状受け部１２ｃと弁作用部１３ａとの間の開部分−下側ステム部材１２の上縦溝状部１２ｄ−上側ステム部材１１の縦溝状部１１ａ−内容物放出通路Ｂ」を経て、外部空間域に放出される。
【００４２】
一方、空気流入出弁２３は、スパウト２８の押圧操作により、その環凸状部２３ｅが上側ステム延伸部材２２の環凹状部２２ｂと当接し、かつ、その環状弁作用部２３ｂが下側ステム延伸部材２１の環状受け部２１ａから離間した状態に移行する。そして、その後の空気流入出弁２３は上記ヘッド部とともに下方向に移動する。
【００４３】
空気流入出弁２３の当該下方向への移動にともない、空気貯留用空間域Ｃの容積が小さくなってそこでの空気圧力が増大し、当該空気流入出弁に作用する上方向への力が大きくなるため、上述の環状弁作用部２３ｂと環状受け部２１ａとの離間状態は維持される。
【００４４】
そして、空気貯留用空間域Ｃの空気は、「環状弁作用部２３ｂと環状受け部２１ａとの間の開部分−空気流入出弁２３の中央筒状部２３ａと下側ステム延伸部材２１の外周面との間の空隙部分−上側ステム延伸部材２２の溝状部２２ａ−下側ステム延伸部材２１の横孔部２１ｂ」を経て内容物放出通路Ｂに送られる。
【００４５】
このように内容物放出通路Ｂには、スパウト２８の押圧操作にともなって内容物貯留用空間域Ａの内容物と空気貯留用空間域Ｃの空気とが流入する。
【００４６】
内容物放出通路Ｂに流入した内容物および空気は、先ず混合された段階で泡立ち状態となり、上流側メッシュ部材２９および下流側メッシュ部材３０を通過することにより内容物の泡が細分化し、また均質化する。
【００４７】
図２の作動モードでは、空気流入出弁２３の下方向への移動により泡生成用ハウジング２４の横孔部２４ａが外部空間域と連通した状態、すなわち容器本体２５の内部が外部空間域と連通した状態になっている。この連通状態は図３（ステム下死点位置）および図４（内容物吸上・吸込態様）の各モードでも継続される。
【００４８】
なお、空気流入出弁２３の下方向への移動により、当該空気流入出弁および上側ステム延伸部材２２より上方のネジキャップ２６の内部空間域の容積が大きくなるので、外気が、矢印で示すように当該内部空間域に流入する。
【００４９】
このとき空気流入出弁２３の環凸状部２３ｅと上側ステム延伸部材２２の環凹状部２２ｂとの間は「閉」になっているので、外気が、空気貯留用空間域Ｃまで流入することはない。
【００５０】
図３は、図２の作動モードの終了段階を示している。
すなわち、上記ヘッド部（スパウト２８およびこれと一体の上側ステム延伸部材２２，下側ステム延伸部材２１，上側ステム部材１１，下側ステム部材１２）が最下点まで移動した状態である。
【００５１】
この移動後の下側ステム部材１２は、その下端部分が汎用ハウジング１６の縦リブ状部１６ｃの上端部分に当接して保持された、状態になっている。
【００５２】
図３に作動モード終了段階において、
・上側ステム部材１１，下側ステム部材１２と吸込弁１４との位置関係
・上側ステム延伸部材２２，下側ステム延伸部材２１と空気流入出弁２３との位置関係
はともに、図２のそれぞれと同じである。また、泡生成用ハウジング２４の横孔部２４ａも、図２と同じく外部空間域と連通している。
【００５３】
図４は、利用者がスパウト２８の押圧操作を解除することによって生じる静止モードへの復帰状態を示している。
【００５４】
スパウト２８の押圧操作が解除されると、上記ヘッド部（上側ステム延伸部材２２，下側ステム延伸部材２１，上側ステム部材１１，下側ステム部材１２）が、コイルスプリング１５の弾性作用により上方向に移動する。
【００５５】
このヘッド部の上動にともない、先ず、
(31)下側ステム部材１２の環状受け部１２ｃと吐出弁１３の弁作用部１３ａとの、それまでの開状態が閉状態へと変化し、
(32)下側ステム延伸部材２１の環状受け部２１ａと空気流入出弁２３の環状弁作用部２３ｂとの、それまでの開状態が閉状態へと変化し、
(33)上側ステム延伸部材２２の環凹状部２２ｂと空気流入出弁２３の環凸状部２３ｅとの、それまでの閉状態が開状態へと変化する。
【００５６】
上記ヘッド部の、これら(31)，(32)，(33)の変化後のさらなる上動にともない、周知のごとく、
(41)内容物貯留用空間域Ａは、その容積が増加して容器本体２５内部に対し負圧になるので、吸込弁１４が上昇して弁座１６ａから離間し、その結果、容器本体２５の内容物が、図示矢印で示すように当該離間部分から内容物貯留用空間域Ａに流入し、
(42)この内容物の流入に起因する容器本体２５内部の負圧化を防止すべく、外気が、図示矢印で示すように泡生成用ハウジング２４の横孔部２４ａから容器本体内部に流入し、
(43)また、空気貯留用空間域Ｃもその容積が増加して外部空間域に対し負圧になるので、外気が、図示矢印で示すように空気流入出弁２３の縦孔部２３ｄから当該空気貯留用空間域に流入する。
【００５７】
そして周知のように、これらの内容物貯留用空間域Ａへの内容物流入ならびに、容器本体２５内部および空気貯留用空間域Ｃへの外気流入が終了して、図１の静止モードに復帰する。
【００５８】
なお、内容物貯留用空間域Ａへの内容物流入が終了するのは、吸込弁１４が下方向に受ける内容物貯留用空間域Ａからの内容物圧力および当該吸込弁の自重と、吸込弁１４が上方向に受ける容器本体２５からの内容物圧力と、がバランスしたときである。このとき、吸込弁１４は落下して弁座１６ａに当接する。
【００５９】
図５および図６は泡放出用ポンプ機構の組立作業の手順を示している。
【００６０】
組立作業手順の内容は例えば次のようになっている。
(51)「上側ステム部材１１，下側ステム部材１２，吐出弁１３，吸込弁１４，コイルスプリング１５，汎用ハウジング１６，筒状ブッシュ１７およびディップチューブ１８」からなるポンプコアユニットを、泡生成用ハウジング２４に嵌合させて取り付ける。
(52)環状パッキン２７を、泡生成用ハウジング２４の環状鍔部２４ｂの下面部分に取り付ける。
(53)空気流入出弁２３と、当該空気流入出弁を挟み込んだ形で嵌合している上側ステム延伸部材２２および下側ステム延伸部材２１と、からなる泡生成用ユニットの当該下側ステム延伸部材を、上側ステム部材１１に嵌合させて取り付ける。
(54)ネジキャップ２６を、泡生成用ハウジング２４に嵌合させて取り付ける。
(55)スパウト２８を、上側ステム延伸部材２２に嵌合させて取り付ける。
(56)ストッパ部材３１を、ネジキャップ２６の上側筒状部に取り付ける。
【００６１】
なお、ポンプコアユニットの組立作業手順の内容は例えば次のようになっている。
(61)吸込弁１４を、汎用ハウジング１６の弁座１６ａの部分に設定する。
(62)次に、コイルスプリング１５を、汎用ハウジング１６の縦リブ状部１６ｃの間に設定する。
(63)次に、吐出弁１３と、当該吐出弁を挟み込んだ形で嵌合している上側ステム部材１１および下側ステム部材１２と、からなるステムユニットを、汎用ハウジング１６のコイルスプリング１５に載せる形で設定する。
(64)次に、筒状ブッシュ１７を、汎用ハウジング１６の開口部に嵌合させて取り付ける。
(65)ディップチューブ１８を、汎用ハウジング１６の下側筒状部１６ｂに取り付ける。
【００６２】
本発明が以上の実施形態に限定されないことは勿論であり、
(71)汎用ハウジング１６の下側筒状部１６ｂをその下端部分が容器本体２５の底面部分まで延びる形のものに設定して、ディップチューブ１８を省略する、
(72)泡生成用ハウジング２４を、汎用ハウジング１６の横孔部１６ｄよりも下側の筒状部分を設けない態様のハウジング形状にする、
(73)作動モード設定操作部として、ティルトタイプの回動部材を用いる、
ようにしてもよい。
【００６３】
本発明が適用されるポンプ式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００６４】
容器本体に収納する内容物は、液状，クリーム状，ゲル状など種々の形態のものを用いることができ、内容物に配合される成分としては例えば、粉状物，油成分，アルコール類，界面活性剤，高分子化合物，各用途に応じた有効成分，水などが挙げられる。
【００６５】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００６６】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００６７】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００６８】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００６９】
高分子化合物としては、メチルセルロース，ゼラチン，デンプン，カゼイン，ヒドロキシエチルセルロース，キサンタンガム，カルボキシビニルポリマーなどを用いる。
【００７０】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００７１】
さらに、上記内容物以外の、懸濁剤，紫外線吸収剤，乳化剤，保湿剤，酸化防止剤、金属イオン封鎖剤なども用いることができる。
【符号の説明】
【００７２】
１１：上側ステム部材
１１ａ：縦溝状部
１１ｂ：環状段部
１２：下側ステム部材
１２ａ：スカート部
１２ｂ：下縦溝状部
１２ｃ：環状受け部
１２ｄ：上縦溝状部
１３：吐出弁
１３ａ：弁作用部
１３ｂ：上内側逆スカート部
１３ｃ：上外側逆スカート部
１３ｄ：下外側スカート部
１４：吸込弁（ボール弁）
１５：コイルスプリング
１６：汎用ハウジング
１６ａ：弁座
１６ｂ：下側筒状部
１６ｃ：縦リブ状部
１６ｄ：横孔部
１７：筒状ブッシュ
１８：ディップチューブ
２１：下側ステム延伸部材
２１ａ：環状受け部
２１ｂ：横孔部
２２：上側ステム延伸部材
２２ａ：断面「コの字状」溝状部
２２ｂ：環凹状部
２３：空気流入出弁
２３ａ：中央筒状部
２３ｂ：環状弁作用部
２３ｃ：上内側逆スカート部
２３ｄ：縦孔部
２３ｅ：環凸状部
２３ｆ：上外側逆スカート部
２３ｇ：下外側スカート部
２４：泡生成用ハウジング
２４ａ：横孔部
２４ｂ：鍔部分
２５：容器本体
２６：ネジキャップ
２７：環状パッキン
２８：スパウト（内容物放出操作部）
２８ａ：内容物通路
２９：上流側メッシュ部材
３０：下流側メッシュ部材
３１：ストッパ部材
Ａ：内容物貯留用空間域
Ｂ：内容物放出通路
Ｃ：空気貯留用空間域
【図１】
2010265009.tif 000003
【図２】
2010265009.tif 000004
【図３】
2010265009.tif 000005
【図４】
2010265009.tif 000006
【図５】
2010265009.tif 000007
【図６】
2010265009.tif 000008